(57)【要約】【課題】電動モータの回転方向を切り換える正逆切り換え機能とスイッチレバーの引き操作量により電動モータの回転数を変化させる可変機能を備え、スイッチレバーの引き操作について節度感を持たせたねじ締め機において、従来スイッチレバーの節度感が正逆両方向に持たせられていたので、かえって操作性が損なわれる場合があった。本発明では、スイッチレバーの節度感について操作性を高めることを目的とする。【解決手段】節度感を発生させるためのリーフスプリング２２をスイッチアーム２１の正転位置側にのみ配置して、ねじ締め時のみにスイッチレバー１０に節度感を持たせ、ねじ緩め時には節度感を持たせない構成とする。【選択図】図３
2012096341.tif 000002
【特許請求の範囲】
【請求項１】
スイッチレバーの引き操作量に応じてスピンドルの出力回転数を変化させる変速機能と、前記スピンドルの回転方向を切り換える正逆切り換え機能を備えた回転工具であって、
前記正逆切り換え機能を一方の回転方向に切り換えた状態でのみ、前記スイッチレバーの引き操作について節度感を持たせた回転工具。
【請求項２】
請求項１記載の回転工具であって、前記スピンドルを正転させてねじ締めを行うねじ締め工具であり、前記正逆切り換え機能を正転側に切り換えた状態でのみ、前記スイッチレバーの引き操作について節度感を持たせた回転工具。
【請求項３】
請求項１又は２記載の回転工具であって、前記変速機能に、前記スイッチレバーの引き操作による操作量に応じて出力電圧が変化するバリアブルスイッチが用いられ、前記正逆切り換え機能に、前記スイッチレバーの操作方向に対して交差する方向に移動操作する正逆切り換えロッドを備えた回転工具。
【発明の詳細な説明】
【技術分野】
【０００１】
本発明は、例えばねじ締め機等の主として手持ち式の回転工具に関する。
【背景技術】
【０００２】
例えば、ねじ締め作業を行うための電動ねじ締め工具は、駆動源としての電動モータを内装した工具本体部と、その側部から側方へ突き出すハンドル部を備えており、このハンドル部の基部付近に設けたトリガ形式のスイッチレバーを指先で引き操作してスイッチ本体をオンすると電動モータが起動し、指先での引き操作を解除するとスイッチ本体がオフして電動モータが停止する。工具本体部において、電動モータが起動すると、スピンドルが回転し、その先端に装着したねじ締めビットが回転する。
また、ハンドル部の基部付近には、スイッチレバーに加えてスピンドルの回転方向をねじ締め側とねじ緩め側に切り換えるための正逆切り換えロッドが設けられている。この正逆切り換えロッドを正転側に切り換えた状態でスイッチレバーを引き操作すれば、電動モータが正転側に起動してスピンドルがねじ締め方向（右回り）に回転する。正逆切り換えロッドを逆転側に切り換えた状態でスイッチレバーを引き操作すれば、電動モータが逆転側に起動してスピンドルがねじ緩め方向（左回り）に回転する。
さらに、ハンドル部に内装したスイッチ本体には、いわゆるバリアブルスイッチが用いられており、スイッチレバーの引き操作量に応じてこのスイッチ本体の出力電圧を変化させることにより、スピンドルの回転数を無段階で変速させることができるようになっている。このため、ねじ締め当初では、スイッチレバーの引き操作量を小さくしてスピンドルを低中速域で回転させることによりねじの倒れやいわゆるカムアウトを回避してねじをねじ締め材に確実に食い込ませ、その後スイッチレバーの引き操作量を大きくしてスピンドルを徐々に高速回転させることによりねじ締めを瞬時に完了させることができる。
このようにスイッチレバーの引き操作量に応じてスピンドルの回転数を変化させることができる変速機構を備えた回転工具では、スイッチレバーの引き操作量を指先に感覚的に感知させる節度感（クリック感）を持たせたものが提供されている。スイッチレバーの操作量について節度感を持たせることにより、使用者がスイッチレバーの指先操作でスピンドルの出力回転数を低中速域に保持しやすくなり、これにより当該回転工具の使い勝手及び作業性を高めることができる。下記の特許文献には、バネ付勢した鋼球をスイッチレバーに係合させてその引き操作量について複数の中途位置に節度感を持たせた構成が開示されている。
【先行技術文献】
【特許文献】
【０００３】
【特許文献１】特開昭６０−１９６９０４号公報
【発明の概要】
【発明が解決しようとする課題】
【０００４】
しかしながら、上記従来のスイッチレバーによれば、スピンドルの回転方向に関係なく常時スイッチレバーの引き操作について節度感が発生する構成であるため、例えばスピンドルの逆転時であってねじ緩め作業時についても使用者の指先に節度感が発生し、低中速域に保持する必要性のない場合について節度感が発生することによってかえって操作性が損なわれる問題があった。
本発明は、係る従来の問題を解消するためになされたもので、例えば正転方向であってねじ締め作業時についてのみスイッチレバーの引き操作について節度感を持たせることができるようにすることを目的とする。
【課題を解決するための手段】
【０００５】
上記課題は下記の発明によって解決される。
第１の発明は、スイッチレバーの引き操作量に応じてスピンドルの出力回転数を変化させる変速機能と、前記スピンドルの回転方向を切り換える正逆切り換え機能を備えた回転工具であって、前記正逆切り換え機能を一方の回転方向に切り換えた状態でのみ、前記スイッチレバーの引き操作について節度感を発生させる構成とした回転工具である。
第１の発明によれば、正逆切り換え機能を例えば正転側に切り換えた状態でのみスイッチレバーの引き操作について節度感が発生し、逆転側に切り換えた状態では節度感が発生しない構成とすることができる。このため、当該第１の発明をねじ締め機に適用してねじ締め作業時についてのみスイッチレバーに節度感を発生させてねじ締め作業を確実かつ迅速に行うことができる一方、スピンドルを逆転させてねじ緩め作業を行う場合には節度感を発生させることなくスイッチレバーを引き操作してその使用感を良好に保つことができ、これにより当該回転工具の使い勝手及び作業性を両立させることができる。
第２の発明は、第１の発明において、回転工具は、スピンドルを正転させてねじ締めを行うねじ締め工具であり、正逆切り換え機能を正転側に切り換えた状態でのみ、スイッチレバーの引き操作について節度感を持たせた回転工具である。
第２の発明によれば、ねじ締め作業時についてのみスイッチレバーに節度感が発生し、ねじ緩み作業時にはスイッチレバーの節度感が発生しないので、ねじ締め時にカムアウト等を回避して確実なねじ締めを行うために当該スイッチレバーを低中速域に容易に保持することができる一方、ねじ緩め時にはスイッチレバーの連続したスムーズな引き操作性が確保されて、当該ねじ締め工具の使い勝手（操作性）及び作業性を高めることができる。
第３の発明は、第１又は第２の発明において、変速機能に、スイッチレバーの引き操作による操作量に応じて出力電圧が変化するバリアブルスイッチが用いられ、正逆切り換え機能に、スイッチレバーの操作方向に対して交差する方向に移動操作する正逆切り換えロッドを備えた回転工具である。
【図面の簡単な説明】
【０００６】
【図１】本発明の第１形態に係る回転工具の全体側面図である。本図では、回転工具の一例としてねじ締め工具が示されている。また、本図ではハンドル部の基部付近が一部破断されて示されている。
【図２】スイッチレバー及び正逆切り換えロッドを図１中矢印(II)方向から見た平面図である。本図では、スイッチ本体のスイッチアームが中立位置に位置する状態で示されている。
【図３】同じくスイッチレバー及び正逆切り換えロッドを図１中矢印(II)方向から見た平面図である。本図では、スイッチ本体のスイッチアームの位置に関して正転位置が実線で示され、中立位置と逆転位置がそれぞれ二点鎖線で示されている。正逆切り換えロッドは省略されている。
【図４】スイッチレバー及びスイッチ本体の側面図である。本図は、スイッチレバーがオフ位置に保持された状態を示している。
【図５】スイッチレバー及びスイッチ本体の側面図である。本図は、スイッチレバーを引き操作して節度感が発生した時点の状態を示している。
【図６】スイッチレバー及びスイッチ本体の側面図である。本図は、スイッチレバーをストローク端まで引き操作した状態を示している。
【図７】スイッチレバー及びスイッチ本体の側面図である。本図は、スイッチレバーがオフ位置に戻される途中の状態であってクリック凸部の案内面にクリック係合部が当接した状態を示している。
【図８】第２実施形態を示す図であって、スイッチレバー及びスイッチ本体の側面図である。
【図９】第３実施形態を示す図であって、スイッチレバー及びスイッチ本体の側面図である。
【図１０】図９の（Ｘ）部拡大図である。
【図１１】第４実施形態を示す図であって、スイッチレバー及びスイッチ本体の側面図である。
【発明を実施するための形態】
【０００７】
次に、本発明の実施形態を図１〜図１１に基づいて説明する。図１は、本実施形態に係る回転工具１の全体が示されている。本実施形態では、回転工具１として、ねじ締め方向（回転方向）に打撃を与えるインパクト機構を内装したねじ締め工具が例示されている。
この回転工具１は、概ね円柱体形状を有する工具本体部２と、工具本体部２の側部から側方へ突き出す状態に設けられたハンドル部３を備えている。ハンドル部３の先端には、電源としてのバッテリパック４が装着されている。
工具本体部２には、電動モータ５が内装されている。この電動モータ５の回転出力はインパクト機構６を経てスピンドル７に出力される。スピンドル７の先端部にねじ締めビット（図示省略）を装着するためのチャック７ａを備えている。
ハンドル部３の基部（上部）付近に、当該ハンドル部３を把持した手の指先で引き操作するトリガ形式のスイッチレバー１０と、スイッチレバー１０の引き操作によりオンするスイッチ本体２０と、スイッチ本体２０の出力を正極と負極を逆転させて電動モータ５の回転方向を正転方向または逆転方向に切り換える正逆切り換えロッド３０を備えている。
スイッチレバー１０の背面（後面）には、スイッチ本体２０の作動ロッド２３が突き当てられている。作動ロッド２３は、スイッチ本体２０に内装したばねによって突き出し側（オフ位置側）に付勢されている。作動ロッド２３のオフ位置側への付勢力によってスイッチレバー１０がオフ位置側に間接的に付勢されている。この付勢力に抗してスイッチレバー１０を引き操作すると作動ロッド２３が後退してスイッチ本体２０がオンし、これにより電動モータ５が起動する。スイッチレバー１０の引き操作を解除すると、当該スイッチレバー１０及び作動ロッド２３がばねの付勢力によりオフ位置側に戻されてスイッチ本体２０がオフし、従って電動モータ５が停止する。
スイッチ本体２０には、作動ロッド２３の操作量に応じて出力電圧が変化するバリアブルスイッチが用いられている。スイッチ本体２０の出力電圧の変化により電動モータ５の回転数が変化する（変速機能）。また、スイッチ本体２０の上部には、スイッチアーム２１が備えられている。このスイッチアーム２１は、スイッチ本体２０の上部に支軸部２０ａを介して左右（図２において上下方向）に傾動可能に支持されている。正逆切り換えロッド３０の操作によりスイッチアーム２１が正転位置側（図２において前端部を下側へ変位させる方向）若しくは逆転位置側（図２において前端部を上側へ変位させる方向）に傾動されると、バッテリパック４の電源が正極、負極逆転して電動モータ５に供給され、これにより電動モータ５の回転方向が切り換わる（正逆切り換え機能）。
【０００８】
正逆切り換えロッド３０は、棒形状を有しており、ハンドル部３の基部付近において機長方向（前後方向）に直交する方向（図１において紙面に直交する方向）に移動可能に支持されている。この正逆切り換えロッド３０の端部が工具本体部２の側部から突き出されている。突き出された側の端部を押し込み操作することにより、当該正逆切り換えロッド３０をその長手方向（左右方向）に移動操作して正転側と逆転側に切り換え操作することができる。
正逆切り換えロッド３０を正転側に切り換えた状態でスイッチレバー１０を引き操作すると、電動モータ５が正転側に起動してスピンドル７がねじ締め方向に回転する。スピンドル７がねじ締め方向に回転することによりねじを締め付けることができる。正逆切り換えロッド３０を逆転側に切り換えた状態でスイッチレバー１０を引き操作すると、電動モータ５が逆転側に起動してスピンドル７がねじ緩め方向に回転する。スピンドル７がねじ緩め方向に回転することによりねじを緩めることができる。
正逆切り換えロッド３０は図１において紙面に直交する方向（図２において上下方向、以下左右方向と言う）に移動可能に設けられている。使用者がこの正逆切り換えロッド３０の右端部を図２において下側へ押し込み操作すると当該正逆切り換えロッド３０が正転側に移動する。逆に、使用者が正逆切り換えロッド３０の左端部を図２において上側へ押し込み操作すると当該正逆切り換えロッド３０が逆転側に移動する。
【０００９】
正逆切り換えロッド３０の長手方向中央には左右一対の保持枠部３０ａ，３０ａが一体に設けられている。両保持枠部３０ａ，３０ａは、当該正逆切り換えロッド３０の前面から前方へ相互に平行に突き出す状態に設けられている。この両保持枠部３０ａ，３０ａ間に、スイッチ本体２０のスイッチアーム２１に設けた係合凸部２１ａが進入している。このため、正逆切り換えロッド３０の移動操作によって係合凸部２１ａが一体で同じ方向に変位する。この係合凸部２１ａは、スイッチアーム２１の前端上面に一体に設けられている。このため、正逆切り換えロッド３０を正転側に切り換えると、係合凸部２１ａが図２において下側に変位する結果、スイッチアーム２１が支軸部２０ａを中心にして図２において反時計回り方向（矢印（正）方向）に傾動する。逆に、正逆切り換えロッド３０を逆転側に切り換えると、係合凸部２１ａが図２において上側に変位する結果、スイッチアーム２１が支軸部２０ａを中心にして図２において時計回り方向（矢印（逆）方向）に傾動する。
スイッチアーム２１の後端部には、弾性アーム部２１ｂが設けられ、この弾性アーム部２１ｂの後面中央にはストッパ凸部２１ｃが設けられている。ストッパ凸部２１ｃは弾性アーム部２１ｂの弾性により後ろ側へ突き出す方向に付勢されている。このストッパ凸部２１ｃに対向してスイッチ本体２０の上面には、三つのストッパ凹部２０ｂ，２０ｃ，２０ｄが設けられている。中央のストッパ凹部２０ｂは中立位置保持用のストッパ凹部で、下側のストッパ凹部２０ｃは逆転位置保持用のストッパ凹部で、上側のストッパ凹部２０ｄは正転位置保持用のストッパ凹部として機能する。
図２及び図３に示すようにスイッチアーム２１が中立位置に移動するとストッパ凸部２１ｃが中央のストッパ凹部２０ｂに弾性的に嵌り込んで、当該スイッチアーム２１（２１Ｎ）が中立位置に保持される。スイッチアーム２１Ｎがこの中立位置に保持された状態では、スイッチレバー１０の上面に設けた規制凸部１０ａが干渉するために当該スイッチレバー１０がオフ位置にロックされてその引き操作が規制された状態となる。
図３において実線で示すようにスイッチアーム２１が正転側に切り換えられるとストッパ凸部２１ｃが上側のストッパ凹部２０ｄに弾性的に嵌り込んで当該スイッチアーム２１（２１Ｒ）が正転位置に保持される。図３において二点鎖線で示すようにスイッチアーム２１が逆転側に切り換えられるとストッパ凸部２１ｃが下側のストッパ凹部２０ｃに弾性的に嵌り込んで当該スイッチアーム２１（２１Ｌ）が逆転位置に保持される。
なお、図３に示すようにスイッチアームの符号２１については、正転位置のスイッチアーム２１に符号２１Ｒを用い、逆転位置のスイッチアーム２１に符号２１Ｌを用い、中立位置のスイッチアーム２１に符号２１Ｎを用いて適宜区別する。
スイッチアーム２１の傾動範囲は、スイッチレバー１０の上面に設けた左右の規制壁部１０ｂ，１０ｃによって規制されている。
【００１０】
図１及び図４〜図７に示すようにスイッチアーム２１の前端下面には、クリック凸部２１ｅが下方へ突き出す状態で一体に設けられている。このクリック凸部２１ｅの後面側には、前側へ下る方向に傾斜する案内面２１ｆが設けられている。また、スイッチレバー１０の上面であって、左側の規制壁部１０ｂと中央の規制凸部１０ａとの間には、リーフスプリング２２が取り付けられている。このリーフスプリング２２の中央には、上方へ突き出すクリック係合部２２ａが設けられている。
正逆切り換えロッド３０を正転側に切り換え操作してスイッチ本体２０のスイッチアーム２１Ｒを図３中実線で示す正転位置に保持した状態（図４に示す状態）でスイッチレバー１０を引き操作すると、図５に示すようにそのストローク途中においてスイッチアーム２１Ｒのクリック凸部２１ｅがクリック係合部２２ａに弾性的に係合して節度感が発生する。使用者はこの節度感によってスイッチレバー１０をストローク途中の位置に保持し、これにより電動モータ５を低速域若しくは中速域に保持して、カムアウト等を発生することなくねじ締めを開始することができる。
使用者がスイッチレバー１０をさらに引き操作すると、クリック凸部２１ｅがクリック係合部２２ａを弾性変形させて乗り越える。これにより電動モータ５が徐々に高速化する。図６に示すようにスイッチレバー１０をストローク端まで引き操作すると、電動モータ５が高速回転してねじが一気に締め込まれる。ねじ締め完了後に、スイッチレバー１０の引き操作を解除すると、スイッチレバー１０は、スイッチ本体２０の作動ロッド２３の付勢力によってオフ位置側に戻され、またスイッチ本体２０がオフして電動モータ５が停止し、従ってスピンドル７及びねじ締めビットが回転停止する。
図７に示すようにスイッチレバー１０がオフ位置に戻される段階では、リーフスプリング２２のクリック係合部２２ａがクリック凸部２１ｅに対して後ろ側から係合されるが、クリック凸部２１ｅの後面には案内面２１ｆが設けられているため、引き操作時ほどはっきりした節度感（抵抗感）を発生することなく、当該スイッチレバー１０はスムーズにオフ位置に戻される。
以上のように、正逆切り換えロッド３０を正転側（ねじ締め側）に切り換えた状態では、スイッチレバー１０の引き操作の中途位置に１箇所の節度感が持たせられている。この節度感により使用者は電動モータ５を中低速域に容易に保持することができ、これによりねじ締め当初においてねじの倒れやカムアウト等を防止しつつねじをねじ締め材に確実に食い付かせてねじ締めを行うことができる。
これに対して、正逆切り換えロッド３０を逆転側（ねじ緩め側）に切り換えた状態では、図３中二点鎖線で示すようにスイッチアーム２１が逆転位置に保持される。スイッチレバー１０の引き操作途中で節度感を発生させるためのクリック係合部２２ａ（リーフスプリング２２）が、左側の規制壁部１０ｂ側にのみ設けられており、右側の規制壁部１０ｃ側には設けられていない。このため、正逆切り換えロッド３０を逆転側に切り換えてスイッチアーム２１のクリック凸部２１ｅを左側の規制壁部１０ｃ側に変位させても、スイッチレバー１０の引き操作について節度感は発生しない。このため、ねじ緩め作業ではスイッチレバー１０の引き操作について何ら抵抗感（節度感）を感ずることなく連続して引き操作することができる。
【００１１】
以上説明した実施形態によれば、正逆切り換えロッド３０を正転側に切り換えた状態でのみスイッチレバー１０の引き操作について節度感が持たせられ、正逆切り換えロッド３０を逆転側に切り換えた状態ではスイッチレバー１０の引き操作について節度感が発生しないようになっている。このため、ねじ締め作業時については、スイッチレバー１０の節度感により使用者は電動モータ５を中低速域に容易に保持することができ、これによりねじ締めを確実に行うことができる一方、ねじ緩め作業については抵抗感を感ずることなくスイッチレバー１０を引き操作することができる。このように本実施形態の回転工具１によれば、作業内容に合わせてスイッチレバー１０の引き操作について節度感の有無を切り換えることができ、この点で当該回転工具１の操作性を高めることができる。
また、クリック凸部２１ｅの後面側に前側へ下る方向に傾斜する案内面２１ｆが設けられているので、この案内面２１ｆの摺接作用によりスイッチレバー１０がスムーズにオフ位置に戻される。
以上説明した実施形態には種々変更を加えることができる。例えば、クリック凸部２１ｅの案内面２１ｆは省略してもよい。
また、スイッチアーム２１側にクリック凸部２１ｅを設け、スイッチレバー１０側にクリック係合部２２ａを設けた構成を例示したが、逆に配置してもよい。
さらに、リーフスプリング２２のクリック係合部２２ａによって節度感を発生させる構成を例示したが、これに代えてバネ付勢された鋼球にクリック凸部を係合させて節度感を発生させる構成としてもよい。
また、クリック凸部２１ｅを係合させて節度感を発生させるためのリーフスプリング２４を例示したようにスイッチレバー１０の上面ではなく、図８に示すように当該上面に設けられた規制凸部１０ａの左側部に沿って設けた構成としてもよい。係る第２実施形態によっても、正逆切り換えロッド３０を正転側に切り換えた状態でのみ、スイッチアーム２１Ｒのクリック凸部２１ｅがリーフスプリング２４のクリック係合部２４ａに弾性的に係合して節度感を持たせることができる。一方、規制凸部１０ａの右側面には係るクリック係合部２４ａが設けられていないため、正逆切り換えロッド３０を逆転側に切り換えた状態ではスイッチレバー１０の引き操作について節度感が発生しない。
このことから、第２実施形態によっても、ねじ締め作業時にのみスイッチレバー１０の引き操作に節度感を持たせて確実なねじ締めを行うことができる一方、ねじ緩め作業時にはスイッチレバー１０の引き操作に節度感を発生することなく迅速にねじ緩め作業を行うことができる。
【００１２】
図９及び図１０には、第３実施形態が示されている。第３実施形態は、上記例示したクリック凸部２１ｅに代えて、スイッチアーム２１の先端に、圧縮ばね２５で下向きに付勢されたクリック凸部２６を設け、スイッチレバー１０の上面であって左側の規制壁部１０ｂ側にのみ山形のクリック係合部２７を一体に設けた構成としてもよい。この第３実施形態によっても、正逆切り換えロッド３０を正転側に切り換えてスイッチアーム２１を正転位置に保持し、この状態でスイッチレバー１０を引き操作すると、クリック係合部２７が圧縮ばね２５の付勢力に抗してクリック凸部２６を押し上げ、これにより節度感を発生させることができる。クリック係合部２７は、左側の規制壁部１０ｂ側にのみ設けられ、右側の規制壁部１０ｃ側には設けられていない。このため、正逆切り換えロッド３０を逆転側に切り換えてスイッチアーム２１を逆転位置に保持した状態では、スイッチレバー１０の引き操作について節度感は発生せず、従って何ら抵抗なく（節度感なく）引き操作することができる。
このように、第３実施形態によっても、正逆切り換えロッド３０を正転側に切り換えて行うねじ締め作業と、逆転側に切り換えて行うねじ緩め作業とで、節度感の有無を切り換えてスイッチレバー１０を引き操作することができ、この点で当該回転工具１の操作性を高めることができる。
第３実施形態の場合、クリック係合部２７の前側の傾斜面を後ろ側よりも緩く形成することにより、スイッチレバー１０の戻し時においてバネ付勢されたクリック凸部２６の抵抗を小さくして当該スイッチレバー１０をスムーズにオフ位置に戻すことができる。
図１１には第４実施形態が示されている。第４実施形態では、クリック凸部２８がスイッチアーム２１ではなく正逆切り換えロッド３０の保持枠部３０ａ，３０ａの前端部間に跨って設けられた構成となっている。このクリック凸部２８が係合されるリーフスプリング２２は、第１実施形態と同様、スイッチレバー１０の上面であって、左側の規制壁部１０ｂ側にのみ設けられている。クリック凸部２８の下部には、第１実施形態と同様に前側へ下る方向に傾斜する案内面２８ａが設けられている。
係る第４実施形態によっても、正逆切り換えロッド３０の切り換え操作によってクリック凸部２８がスイッチアーム２１と一体で移動することから、当該クリック凸部２８を左側の規制壁部１０ｂ側に移動させた状態（正転時）でのみリーフスプリング２２のクリック係合部２２ａが係合されてスイッチレバー１０の引き操作について節度感を持たせることができる一方、正逆切り換えロッド３０を逆転側に切り換えて当該クリック凸部２８を右側の規制壁部１０ｃ側に移動させた状態（逆転時）では何ら抵抗なくスイッチレバー１０を引き操作することができる。このため、第４実施形態によっても第１〜第３実施形態と同様の作用効果を得ることができる。
以上説明した各実施形態にはさらに変更を加えることができる。例えば、正逆切り換えロッド３０を正転側に切り換えた状態でのみスイッチレバー１０の引き操作について節度感を持たせる構成を例示したが、クリック係合部２２ａを右側の規制壁部１０ｃ側にのみ設けて正逆切り換えロッド３０を逆転側に切り換えた状態でのみスイッチレバー１０の引き操作について節度感を持たせる構成としてもよい。
また、棒形状の正逆切り換えロッド３０をその長手方向に移動操作して電動モータ５の正転、逆転を切り換える構成の正逆切り換え機能を例示したが、例えばダイヤル式や傾倒レバー式の操作部材の操作により電動モータ５の回転方向を切り換える構成とした正逆切り換え機能について、一方の回転方向についてのみスイッチレバー１０の引き操作について節度感を持たせる構成とすることができる。
【符号の説明】
【００１３】
１…回転工具
２…工具本体部
３…ハンドル部
４…バッテリ
５…電動モータ
６…インパクト機構
７…スピンドル、７ａ…チャック
１０…スイッチレバー
１０ａ…規制凸部、１０ｂ…規制壁部（左側）、１０ｃ…規制壁部（右側）
２０…スイッチ本体、２０ａ…支軸部
２０ｂ…ストッパ凹部（中立位置用）、２０ｃ…ストッパ凹部（逆転位置用）
２０ｄ…ストッパ凹部（正転位置用）
２１…スイッチアーム
２１Ｒ…スイッチアーム（正転位置）、２１Ｌ…スイッチアーム（逆転位置）
２１Ｎ…スイッチアーム（中立位置）
２１ａ…係合凸部、２１ｂ…弾性アーム部、２１ｃ…ストッパ凸部
２１ｅ…クリック凸部、２１ｆ…案内面
２２…リーフスプリング、２２ａ…クリック係合部
２３…作動ロッド
２４…リーフスプリング（第２実施形態）、２４ａ…クリック係合部
２５…圧縮ばね
２６…クリック凸部（第３実施形態）
２７…クリック係合部（第３実施形態）
２８…クリック凸部（第４実施形態）、２８ａ…案内面
３０…正逆切り換えロッド、３０ａ…保持枠部
【図１】
2012096341.tif 000003
【図２】
2012096341.tif 000004
【図３】
2012096341.tif 000005
【図４】
2012096341.tif 000006
【図５】
2012096341.tif 000007
【図６】
2012096341.tif 000008
【図７】
2012096341.tif 000009
【図８】
2012096341.tif 000010
【図９】
2012096341.tif 000011
【図１０】
2012096341.tif 000012
【図１１】
2012096341.tif 000013